(57)【要約】 【課題】  孔部に端子金具が干渉する事態を抑制する。【解決手段】  雌ハウジング２０には、電線Ｗの端末に接続した雌端子金具１０を後方から挿入可能なキャビティが複数室設けられている。雌ハウジング２０には、雌端子金具１０を挿通可能な孔部３１を各キャビティ２５に対応した位置に複数備える一括ゴム栓３０が組み付けられるとともに、孔部３１を拡開可能な拡開部４３を備える拡開部材４０が組み付けられている。拡開部材４０を拡開位置に配して拡開部４３により孔部３１を押し拡げた状態で雌端子金具１０をキャビティ２５内に挿入するようにし、その後拡開部材４０を退避位置に移動させることで、孔部３１を復元させてその内周面を電線Ｗの周りに密着させることができる。【選択図】  図３
2005141944.tif 000002
【特許請求の範囲】
【請求項１】
電線の端末に接続した端子金具と、端子金具を挿入可能なキャビティを複数備えるコネクタハウジングと、コネクタハウジングに装着されるとともに端子金具を挿通可能な孔部を各キャビティに対応した位置に複数備える一括ゴム栓とを備えており、端子金具をキャビティ内に挿入した状態では、孔部の内周面が電線の周りに密着することでキャビティの防水が図られるものにおいて、
前記孔部を拡開可能な拡開部材が装着可能とされていることを特徴とする防水コネクタ。
【請求項２】
前記拡開部材は、前記コネクタハウジングに対して、前記孔部を拡開させる拡開位置と、孔部から退避する退避位置との２位置間を移動可能に保持されることを特徴とする請求項１記載の防水コネクタ。
【請求項３】
前記拡開部材には、前記端子金具及び前記電線を挿通可能な挿通孔が設けられ、この挿通孔の周縁には、電線を挿通孔外へ抜き出すための切り欠き部が形成されていることを特徴とする請求項１記載の防水コネクタ。
【発明の詳細な説明】
【技術分野】
【０００１】
本発明は、一括型ゴム栓を備える防水コネクタに関する。
【背景技術】
【０００２】
従来、複数本の端子金具を収容する防水コネクタにおいて各電線を一括して防水可能な一括ゴム栓を備えたものの一例として下記特許文献１に記載されたものが知られている。このものは、ハウジングに端子金具を後方から挿入可能なキャビティを複数設けるとともに、各キャビティに連通する孔部を各キャビティに対応した位置にそれぞれ穿設した一括ゴム栓が装着されており、端子金具を挿入した状態では各電線の周りに各孔部の内周面が密着することで各キャビティの防水が図られるようになっている。
【特許文献１】特開平６−２０３９０２号公報
【発明の開示】
【発明が解決しようとする課題】
【０００３】
上記のような一括ゴム栓を備えたものでは、端子金具をキャビティ内に挿入する過程では、端子金具が一括ゴム栓の孔部を通ることになる。このとき、端子金具は、孔部を押し拡げつつその内側に進入するため、端子金具の角部が孔部の内周面に引っ掛かって傷が付けられるおそれがあった。孔部の内周面に傷が付くと、電線に対する密着性が低下して防水性能が悪化するおそれがある。
本発明は上記のような事情に基づいて完成されたものであって、孔部に端子金具が干渉する事態を抑制することを目的とする。
【課題を解決するための手段】
【０００４】
上記の目的を達成するための手段として、請求項１の発明は、電線の端末に接続した端子金具と、端子金具を挿入可能なキャビティを複数備えるコネクタハウジングと、コネクタハウジングに装着されるとともに端子金具を挿通可能な孔部を各キャビティに対応した位置に複数備える一括ゴム栓とを備えており、端子金具をキャビティ内に挿入した状態では、孔部の内周面が電線の周りに密着することでキャビティの防水が図られるものにおいて、前記孔部を拡開可能な拡開部材が装着可能とされている構成としたところに特徴を有する。
【０００５】
請求項２の発明は、請求項１に記載のものにおいて、前記拡開部材は、前記コネクタハウジングに対して、前記孔部を拡開させる拡開位置と、孔部から退避する退避位置との２位置間を移動可能に保持されるところに特徴を有する。
請求項３の発明は、請求項１に記載のものにおいて、前記拡開部材には、前記端子金具及び前記電線を挿通可能な挿通孔が設けられ、この挿通孔の周縁には、電線を挿通孔外へ抜き出すための切り欠き部が形成されているところに特徴を有する。
【発明の効果】
【０００６】
＜請求項１の発明＞
端子金具をキャビティ内に挿入すると、電線の周りに一括ゴム栓の孔部の内周面が密着することで、各キャビティの防水が図られる。端子金具の挿入時には、拡開部材により孔部を拡開した状態で端子金具を孔部に挿通することができるから、孔部の内周面に端子金具が干渉する事態を抑制することができる。これにより、例えば孔部の内周面に傷が付き難くなるので、防水性能を良好に保つことができる。
【０００７】
＜請求項２の発明＞
拡開部材を拡開位置とし孔部を拡開させた状態で端子金具をキャビティ内に挿入した後、拡開部材を退避位置へ移動させることで、孔部の拡開状態を解除してその内周面を電線の周りに密着させることができる。
＜請求項３の発明＞
拡開部材により孔部を拡開した状態で端子金具及び電線を挿通孔に挿通した後、切り欠き部を通して電線を挿通孔外へ抜き出すことができるので、拡開部材を防水コネクタから取り外すことができる。つまり、端子挿入時にのみ拡開部材を防水コネクタに装着して使用することができる。
【発明を実施するための最良の形態】
【０００８】
＜実施形態１＞
本発明の実施形態１を図１ないし図５によって説明する。この実施形態１では、雌側の防水コネクタＣを例示する。この防水コネクタＣは、大まかには電線Ｗの端末に接続した雌端子金具１０と、雌端子金具１０を個別に挿入可能なキャビティ２５を複数有する雌コネクタハウジング２０（以下、単に雌ハウジング２０という）と、各キャビティ２５に対応した位置に孔部３１を穿設した一括ゴム栓３０とを備え、且つ孔部３１を拡開可能な拡開部材４０が装着される。なお以下では、雌ハウジング２０に対する雌端子金具１０の挿入方向を前方、逆の抜き取り方向を後方とし、また上下方向については各図面を基準とする。また本実施形態では雌端子金具１０についてキャビティ２５の上段側に対応するもののみ図示するものとする。
【０００９】
雌端子金具１０は、金属板をプレス成形することで図１に示すような形状に形成されており、略箱型をなす本体部１１と、電線Ｗの端末に圧着接続されるバレル部１２とを前後に繋げた構成とされている。本体部１１の下面には、雌端子金具１０をキャビティ２５内に挿入したときにランス２６に係止可能な係止孔１３が開口して形成されている。この係止孔１３の孔縁の両側部には、キャビティ２５への挿入動作の案内などに機能するスタビライザ１４が一対、下方へ突出して形成されている。また本体部１１内には、相手の雄端子金具に対して導通接触可能な弾性接触片（雄端子金具共々図示せず）が設けられている。バレル部１２は、前後に一対ずつのかしめ片を対向状に備えており、このうち前側の両かしめ片が電線Ｗの芯線にかしめ付けられるのに対し、後側の両かしめ片が電線Ｗの被覆にかしめ付けられる。
【００１０】
雌ハウジング２０は、合成樹脂製とされ、雌端子金具１０を収容可能な端子収容部２１と、端子収容部２１の周縁から前方へ突出するとともに端子収容部２１を取り囲む前側筒部２２と、端子収容部２１の後面から後方へ突出する後側筒部２３とから構成されている。このうち、前側筒部２２は、前方へ開口する略角筒状に形成されるとともに端子収容部２１との間の空間には、相手の雄ハウジング（図示せず）が前方から嵌合可能とされる。前側筒部２２の上部には、雄ハウジングを嵌合状態に保持するためのロックアーム２４が設けられている。
【００１１】
端子収容部２１には、雌端子金具１０を後方から挿入可能なキャビティ２５が高さ方向に２室、幅方向に２室、計４室並んで設けられている。各キャビティ２５の下面側には、片持ち状のランス２６が設けられている。ランス２６は、雌端子金具１０を挿入する過程では一旦下方へ撓み変形されて撓み空間２７内に退避し、雌端子金具１０が正規深さに達すると復元して係止孔１３内に進入するとともにその孔縁後部に係止されるようになっている。またキャビティ２５の下面におけるランス２６の両側方位置には、スタビライザ１４を挿通可能な挿通溝２５ａが一対形成されている。なおキャビティ２５の長さ寸法は、雌端子金具１０における本体部１１よりも少し長い程度とされ、雌端子金具１０を収容した状態では、バレル部１２の一部が後側筒部２３内に突出して配されるようになっている（図４参照）。
【００１２】
端子収容部２１の前端部には、各ランス２６の撓み空間２７内に進入可能な撓み規制部２８ａを有するフロントリテーナ２８が装着可能とされている。このフロントリテーナ２８は、各撓み規制部２８ａが各撓み空間２７の前方に退避する退避位置と、退避位置から後退するとともに各撓み規制部２８ａが各撓み空間２７内に進入して各ランス２６の撓み変形を規制する規制位置（図示せず）との２位置間を前後に移動可能に保持される。また端子収容部２１の外周面後端部には、嵌合される雄ハウジングと端子収容部２１との間で挟圧されることで両ハウジング間を防水可能な防水リング２９が嵌着されている。
【００１３】
後側筒部２３は、後方へ開口する略角筒状に形成されるとともに端子収容部２１の後面において全キャビティ２５を取り囲むようにして配設されている。後側筒部２３の内部には、後に詳しく説明する拡開部材４０と、一括ゴム栓３０とが前後に並んだ状態で収容可能とされている。一括ゴム栓３０は、図１及び図２（Ａ）に示すように、全体が略四角形の平板状に形成されており、各キャビティ２５に連通可能な略円形をなす孔部３１が、各キャビティ２５に対応した位置に計４つ並んだ状態で前後に貫通して形成されている。孔部３１の内側には、雌端子金具１０及び電線Ｗが挿通可能とされるとともにその内周面が電線Ｗの周りに密着可能とされている。孔部３１の内径寸法は、電線Ｗの外径寸法よりも小さくなっている。孔部３１の周縁前部には、前端側に行くに従って内径寸法が大きくなる先拡がり状をなす案内面３２が周設されており、これにより拡開部材４０の拡開部４３の進入を案内可能とされている。一括ゴム栓３０の外周面には、外方へ膨出するとともに後側筒部２３の内周面に密着可能なリップ３３が前後に２条周設されている。一括ゴム栓３０の中心位置（対角位置にある孔部３１の中心同士を結んだ２本の直線の交点位置）には、拡開部材４０の操作部４４を通すための操作部挿通孔３４が前後に貫通して形成されている。なお後側筒部２３の後方には、一括ゴム栓３０を抜け止めするための抜け止め部材（図示せず）が装着可能とされている。
【００１４】
拡開部材４０は、合成樹脂製とされ、図１及び図２（Ｂ）に示すように、一括ゴム栓３０よりも薄い略四角形の平板状をなす本体部４１を備えている。本体部４１には、雌端子金具１０及び電線Ｗを挿通可能な挿通孔４２が、各キャビティ２５や各孔部３１に対応した位置（連通可能な位置）に計４つ、前後に貫通して形成されている。そして、拡開部材４０における各挿通孔４２の周縁後端からは、略円筒状をなす拡開部４３が４つ、後方へ突出して形成されており、この拡開部４３が一括ゴム栓３０の孔部３１内に進入することで、孔部３１を拡開させることができるようになっている。
【００１５】
詳しくは拡開部４３は、突出端側に行くに従って次第に内径寸法・外径寸法が共に小さくなる先細り状に形成されており、その先端部における外径寸法が一括ゴム栓３０の案内面３２における前端の最大内径寸法と概ね同じ大きさに設定されている。これにより、案内面３２の傾斜とも相まって拡開部４３の孔部３１内への進入動作を円滑に案内可能とされる。拡開部４３内には、本体部４１側の挿通孔４２が連続して形成されており、その内径寸法は拡開部４３と同様に後端側ほど小さくなるものの、雌端子金具１０の挿入を許容する（妨げない）程度の大きさで、且つ電線Ｗの外径寸法よりも大きくなるように設定されている。また拡開部４３の長さ寸法は、一括ゴム栓３０の厚み寸法（孔部３１の長さ寸法）の約２／３程度に設定されている。
【００１６】
拡開部材４０は、後側筒部２３内において拡開部４３が孔部３１から退避した退避位置（図１）と、拡開部４３が孔部３１を拡開させる拡開位置（図３）との２位置間を前後に移動可能とされている。退避位置では、図１に示すように、拡開部４３が一括ゴム栓３０の直前位置に配されて孔部３１とは非接触状態に保たれる。また退避位置において拡開部材４０は、キャビティ２５内に挿入した雌端子金具１０と干渉しない設定とされる（図５）。一方、拡開位置では、図３に示すように、拡開部４３がほぼ全長にわたって孔部３１内に進入するとともに、孔部３１をその後端部においても雌端子金具１０の外径寸法より大きくなるよう拡開させることで、雌端子金具１０を挿通する際に孔部３１の内周面に対して雌端子金具１０が接触（干渉）するのを極力回避できるようになっている。
【００１７】
後側筒部２３の内周面には、拡開部材４０を上記２位置に選択的に保持するための保持突部３５，３６が設けられている。保持突部３５，３６は、後側筒部２３内の上下面における長さ方向略中央位置付近において、前後に所定の間隔を空けた位置に少なくとも一対ずつ設けられている。保持突部３５，３６の前後面は、テーパ状に形成されているので、拡開部材４０を所定以上の力で操作することにより保持状態を解除できるようになっている。拡開部材４０が退避位置に装着されたときには、図１に示すように、両保持突部３５，３６間に本体部４１が挟まれるとともに両保持突部３５，３６に本体部４１の上下縁部が係止することで、拡開部材４０を退避位置にて前後にがたつきなく保持可能とされる。一方、拡開部材４０が拡開位置に装着されたときには、図３に示すように、後側の保持突部３６に対して本体部４１の上下縁部の前面が係止することで、拡開部材４０が容易に拡開位置から前方へ移動するのを規制可能とされる。なお、図示は省略するが、後側の保持突部３６のさらに後側に第３の保持突部を設けることで、拡開部材４０が拡開位置から後退するのを規制するようにしても構わない。
【００１８】
拡開部材４０の後面における中心位置（対角位置にある拡開部４３の中心同士を結んだ２本の直線の交点位置）には、図１及び図２（Ｂ）に示すように、拡開部材４０を移動操作するための操作部４４が後方へ突出して形成されている。操作部４４は、略円柱状をなすとともに一括ゴム栓３０の操作部挿通孔３４内に挿通可能とされる。この操作部４４の外径寸法は、操作部挿通孔３４の内径寸法よりも大きく設定されているので、操作部４４の外周面に操作部挿通孔３４の内周面が密着して雌ハウジング２０内の防水性が保たれるようになっている。操作部４４の長さ寸法は、拡開部材４０が拡開位置と退避位置とのいずれの位置にあっても後側筒部２３よりも後方へ突出して配されるような大きさに設定される。
【００１９】
本実施形態は以上のような構造であり、続いてその作用を説明する。雌ハウジング２０に対してフロントリテーナ２８を退避位置に装着するとともに防水リング２９を嵌着する一方、後側筒部２３内に後方から拡開部材４０と一括ゴム栓３０とを順次に組み付けるようにする。図１に示すように、拡開部材４０を退避位置に装着してから一括ゴム栓３０を装着した後、電線Ｗの端末に接続した雌端子金具１０を組み付ける現場へと搬送する。
【００２０】
搬送後、雌端子金具１０を挿入する前に、操作部４４を後方へ引っ張り操作することで拡開部材４０を退避位置から拡開位置へと移動させるようにする。このとき、拡開部４３は、その外周面が孔部３１の案内面３２に摺接するとともに互いの傾斜に案内されることで、孔部３１内へ円滑に進入するとともに孔部３１が前端側から徐々に押し拡げられる。そして、拡開部材４０が拡開位置に達すると、図３に示すように、拡開部４３によって孔部３１はその後端部の内径寸法が雌端子金具１０の外径寸法よりも大きくなるまで拡開させられる。なお拡開部材４０を雌ハウジング２０に組み付ける際に拡開位置に装着し、その後一括型ゴム栓を装着する際に孔部３１を拡開させるようにしても構わない。
【００２１】
続いて、雌端子金具１０をキャビティ２５内に挿入する作業を行う。挿入過程では雌端子金具１０は、一括ゴム栓３０の孔部３１内を通過するものの、孔部３１は既述した通り拡開部４３により押し拡げられているので、雌端子金具１０が孔部３１の内周面に干渉し難くなっている。これにより、雌端子金具１０は、孔部３１の内周面を傷付けることも、それに伴う挿入抵抗を発生させることもなく、スムーズに拡開部材４０の挿通孔４２へと進入した後キャビティ２５内に挿入される。キャビティ２５内の所定深さまで挿入されると、雌端子金具１０によりランス２６が押圧されることで下方へ一旦撓み変形される。そして、雌端子金具１０が正規深さに達すると、図４に示すように、ランス２６が復元するとともに係止孔１３内に進入してその孔縁後部に係止することで、雌端子金具１０が抜け止め状態に保持される。
【００２２】
全雌端子金具１０を挿入し終えたら、操作部４４を前方へ押し込むことで拡開部材４０を拡開位置から退避位置へ移動させる。拡開部材４０が退避位置に達すると、図５に示すように、拡開部４３が孔部３１の前方に退避するとともに孔部３１の拡開状態が解除されて孔部３１が復元する。そして、孔部３１の内周面が電線Ｗの周りに密着することで、電線Ｗの周り、つまりキャビティ２５内の防水が図られる。一方、フロントリテーナ２８を係止位置へ移動させてその撓み規制部２８ａを撓み空間２７内に進入させることで、ランス２６の撓み変形を規制して雌端子金具１０の抜け止めをより強固なものとする。なお拡開部材４０を退避位置へ移動させる作業と、フロントリテーナ２８を係止位置に移動させる作業は、どちらを先に行うようにしても良い。
【００２３】
ところで、メンテナンスなどの事情により雌端子金具１０を取り外す場合がある。その場合は、操作部４４を後方へ引っ張り操作して拡開位置へ移動させるとともに拡開部４３により孔部３１を拡開させておく。一方、フロントリテーナ２８を退避位置に戻すとともに治具などによりランス２６を強制的に撓み変形させてその係止状態を解除させつつ電線Ｗを後方へ引っ張るようにする。この抜き取り過程においても、孔部３１が拡開部４３により拡開されているので、挿入時と同様に雌端子金具１０が孔部３１の内周面に干渉し難くなっている。
【００２４】
以上説明したように本実施形態によれば、孔部３１を拡開部材４０の拡開部４３により拡開させた状態で雌端子金具１０を孔部３１に挿通することができるから、孔部３１の内周面に雌端子金具１０が干渉する事態を抑制することができる。これにより、孔部３１の内周面に傷が付き難くなるので、防水性能を良好に保つことができる。しかも、雌端子金具１０により孔部３１を押し拡げることがないので、雌端子金具１０の挿入力を低減することもできる。
【００２５】
＜実施形態２＞
次に、本発明の実施形態２を図６ないし図１０によって説明する。この実施形態２では、拡開部材４０Ａを防水コネクタＣに対して着脱可能としたものを示す。なおこの実施形態２では、上記した実施形態１と同様の構成については、同一符号を付し、重複する説明は省略する。また実施形態２では、実施形態１と同様に雌端子金具１０については上段側のみを図示するものとする。
【００２６】
拡開部材４０Ａは、図６及び図７に示すように、本体部４１の各挿通孔４２の周縁前端から各拡開部４３Ａが前方へ突出して設けられた構成とされる。そして、各挿通孔４２の周縁には、電線Ｗを挿通孔４２外へ抜き出すための切り欠き部４５がそれぞれ形成されている。各切り欠き部４５は、上段側の挿通孔４２においては周縁上部を上方へ、下段側の挿通孔４２においては周縁下部を下方へ、それぞれ開口して形成されているので、挿通孔４２に通した電線Ｗを上下、つまり電線Ｗの軸線方向と交差する方向（切り欠き部４５の開口方向、前後方向と交差する方向）に曲げつつ挿通孔４２外へ抜き出すことが可能とされている。切り欠き部４５は、電線Ｗの外径寸法とほぼ同じかそれよりも大きな幅寸法をもって形成されている。またこの拡開部材４０Ａでは、実施形態１に記載の操作部４４については不要なため省略されている。
【００２７】
なお、一括ゴム栓３０Ａは、各案内面３２Ａが各孔部３１の周縁後部側に設けられ、後端側ほど内径寸法が大きくなるよう形成されており、また実施形態１に記載の操作部挿通孔３４について操作部４４と同様に省略されている。また雌ハウジング２０Ａの後側筒部２３Ａは、実施形態１と比較すると、拡開部材４０Ａを収容する必要がない分だけ長さ寸法が短くされるとともに実施形態１に記載の保持突部３５，３６が省略されている。
【００２８】
続いて、本実施形態の作用を説明する。雌端子金具１０を挿入する前に、まず拡開部材４０Ａを一括ゴム栓３０Ａの後側に装着し、図８に示すように、拡開部４３Ａにより孔部３１を押し拡げておく。この状態で雌端子金具１０を拡開部材４０Ａの挿通孔４２に挿通してから一括ゴム栓３０Ａにおける拡開された孔部３１に通した後、その前方のキャビティ２５内へと挿入する。この過程では、雌端子金具１０は、先に拡開部材４０Ａの挿通孔４２に通されることでその径方向の位置決めが概ねなされるので、その後孔部３１を通過する際に孔部３１の内周面に対して一層干渉し難くなっている。図９に示すように、雌端子金具１０をキャビティ２５内に正規深さまで挿入し終えたら、拡開部材４０Ａを取り外す作業を行う。それには、各電線Ｗを上方または下方に屈曲させて対応する切り欠き部４５に通して挿通孔４２外へ抜き出すようにし、その状態で拡開部材４０Ａを後方へ引き抜くようにする。拡開部材４０Ａが外れると、図１０に示すように、孔部３１が復元するとともにその内周面が電線Ｗの周りに密着することで防水が図られる。
【００２９】
以上説明したように本実施形態によれば、拡開部材４０Ａにおける挿通孔４２の周縁に電線Ｗを挿通孔４２外へ抜き出すための切り欠き部４５を設けるようにしたから、拡開部材４０Ａにより孔部３１を拡開した状態で雌端子金具１０及び電線Ｗを挿通孔４２に挿通した後、切り欠き部４５を通して電線Ｗを挿通孔４２外へ抜き出すことで、拡開部材４０Ａを防水コネクタＣから取り外すことができる。つまり、雌端子金具１０を挿入する時にのみ拡開部材４０Ａを防水コネクタＣに装着して使用することができ、言い換えると拡開部材４０Ａを常に防水コネクタＣに組み付けておく必要がない。これにより、雌ハウジング２０Ａ内に拡開部材４０Ａを組み付け状態に保つためのスペースが不要となるので、後側筒部２３Ａを短くすることができて防水コネクタＣを小型化することができるのに加えて、１つの拡開部材４０Ａを複数の防水コネクタＣに使用することができるので低コストにもなる。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）拡開部材の形態は任意に変更可能である。例えば拡開部の長さ寸法を孔部とほぼ同じかそれよりも長く設定してもよく、また拡開部を角筒状など円筒状以外の形状に形成したものも本発明に含まれる。
【００３１】
（２）上記した実施形態１の変形例として、一括ゴム栓の後側に拡開部材を配するとともに拡開位置と退避位置との間を移動可能にしたものも本発明に含まれる。その場合、拡開部材に一括ゴム栓の抜け止め機能を併せ持たせるようにしてもよい。
（３）上記した実施形態１では、防水コネクタの後方へ突出する操作部を操作する態様のものを示したが、操作部を一括ゴム栓の内側に配するとともにその操作部を治具により操作する態様としてもよい。具体的には、一括ゴム栓に治具挿通孔を形成してそこに通した治具によって拡開部材に設けた操作部を操作するようにし、操作後は治具挿通孔にダミー栓などを圧入して防水性を保つようにすればよい。また雌ハウジングに対し前方から治具を挿入する態様としてもよい。
【００３２】
（４）上記した実施形態２の変形例として、拡開部材の挿通孔の周縁において切り欠き部を幅方向に沿って側方へ開口する形態や斜めに開口する形態としてもよい。
（５）上記した実施形態２では、拡開部材の挿通孔が各雌端子金具及び各電線を個別に挿通する形態のものを示したが、複数本の雌端子金具及び電線をまとめて挿通可能な形態の挿通孔を形成するようにしてもよい。その場合、１つの切り欠き部を通して複数本の電線を挿通孔外に抜き出すようにしてもよい。
【００３３】
（６）上記した各実施形態では、拡開部材が挿通孔を有するものを示したが、挿通孔を有さないタイプのものも本発明に含まれる。
（７）上記した各実施形態では、雌側の防水コネクタを例示したが、雄端子金具を収容する雄側の防水コネクタについても本発明は適用可能である。また端子金具の収容本数は任意に変更可能である。
【図面の簡単な説明】
【００３４】
【図１】本発明の実施形態１に係る防水コネクタの側断面図
【図２】（Ａ）一括ゴム栓の正面図  （Ｂ）拡開部材の背面図
【図３】拡開部材を拡開位置に配した状態を示す側断面図
【図４】雌端子金具をキャビティ内に挿入した状態を示す側断面図
【図５】拡開部材を退避位置に配した状態を示す側断面図
【図６】本発明の実施形態２に係る防水コネクタの側断面図
【図７】拡開部材の正面図
【図８】拡開部材を装着して孔部を拡開した状態を示す側断面図
【図９】雌端子金具をキャビティ内に挿入した状態を示す側断面図
【図１０】切り欠き部に電線を通しつつ拡開部材を取り外した状態を示す側断面図
【符号の説明】
【００３５】
１０…雌端子金具（端子金具）
２０，２０Ａ…雌ハウジング（コネクタハウジング）
２５…キャビティ
３０，３０Ａ…一括ゴム栓
３１…孔部
４０，４０Ａ…拡開部材
４２…挿通孔
４５…切り欠き部
Ｗ…電線
【図１】
2005141944.tif 000003
【図２】
2005141944.tif 000004
【図３】
2005141944.tif 000005
【図４】
2005141944.tif 000006
【図５】
2005141944.tif 000007
【図６】
2005141944.tif 000008
【図７】
2005141944.tif 000009
【図８】
2005141944.tif 000010
【図９】
2005141944.tif 000011
【図１０】
2005141944.tif 000012